(57)【要約】【課題】発信側で着信先の現在の状態を意識することなく、その着信先のプレゼンス情報に応じて発呼信号を送信すべき端末を選択することのできる通信システム、呼制御装置、プレゼンス情報検出装置、着信先変更方法、着信先変更プログラム、およびプログラム記録媒体を提供する。【解決手段】発呼信号を発信する固定端末１、インターネット網１０１および移動体網１０３を順次介して通信可能な状態にある着信先の携帯端末５、携帯端末５と関連を有し、インターネット網１０１を介して固定端末１に接続される固定端末３、発呼信号の着信先の現在の状態を表すプレゼンス情報を検出するプレゼンス情報検出装置４、およびプレゼンス情報検出装置４から送信されてくるプレゼンス情報に基づいて発呼信号の着信先端末を選択し、固定端末３を選択した場合には、着信先識別番号を変更して発呼信号を送信する呼制御装置２を備える。【選択図】      図１
2004312559.tif 000002
【特許請求の範囲】
【請求項１】
発呼信号の発信元である第１の固定端末と、
この第１の固定端末にインターネット網および移動体網を順次介して通信可能な携帯端末と、
この携帯端末と関連を有し、前記インターネット網を介して前記第１の固定端末に接続される第２の固定端末と、
前記発呼信号の着信先の現在の状態を表すプレゼンス情報を検出するプレゼンス情報検出装置と、
携帯端末および当該携帯端末と関連を有する第２の固定端末を対応付けて記憶しておき、前記プレゼンス情報検出装置から前記インターネット網を介して送信されてくるプレゼンス情報を受信したとき、この受信したプレゼンス情報に基づいて、前記インターネット網を介して携帯端末に向けて発信されてくる発呼信号の着信先端末を決定し、この決定により前記携帯端末と関連を有する第２の固定端末を着信先端末とする場合には、当該第２の固定端末に固有の識別番号を用いて着信先を変更して前記発呼信号を送信する呼制御装置と
を備えたことを特徴とする通信システム。
【請求項２】
発信元の固定端末から当該固定端末にインターネット網と移動体網を順次介して通信可能な携帯端末に向けて発信される発呼信号の着信先端末を当該着信先の現在の状態に応じて制御する呼制御装置であって、
着信先となる利用者が所有する固定端末および携帯端末にそれぞれ付与される識別番号を互いに対応づけて記憶、管理する識別番号記憶手段と、
着信先の現在の状態を表すプレゼンス情報を検出するプレゼンス情報検出装置から前記インターネット網を介して送信されてくるプレゼンス情報を記憶、管理するプレゼンス情報記憶手段と、
発呼信号の着信先端末を前記プレゼンス情報記憶手段で記憶した前記発呼信号の着信先のプレゼンス情報に基づいて決定し、着信先端末として固定端末を選択した場合には、当該固定端末の識別番号を前記識別番号記憶手段から読み出し、この読み出した識別番号を有する固定端末に向けて前記発呼信号を送信する制御手段と
を備えたことを特徴とする呼制御装置。
【請求項３】
発信元の固定端末から当該固定端末にインターネット網と移動体網を順次介して接続される携帯端末に向けて発信される発呼信号着信先の現在の状態を表すプレゼンス情報を検知する検知手段と、
この検知手段に対してプレゼンス情報の検知要求を行う一方で、前記検知手段が検知するプレゼンス情報を受信し、この受信したプレゼンス情報を前記インターネット網を介して発呼信号の制御を行う呼制御装置に送信する制御手段と
を備えたことを特徴とするプレゼンス情報検出装置。
【請求項４】
固定端末からインターネット網および移動体網を順次介して通信可能な携帯端末に向けて発信される発呼信号の着信先を当該着信先の現在の状態に応じて変更する着信先変更方法であって、
前記インターネット網に接続され、携帯端末に固有の識別番号および当該携帯端末に関連のある固定端末に固有の識別番号を関連付けて記憶する識別番号記憶部を有するコンピュータが、
発呼信号を受信して、当該発呼信号の着信先の現在の状態を表すプレゼンス情報を読み取るステップと、
このステップで読み取ったプレゼンス情報を参照した結果、前記発呼信号の着信先である携帯端末と予め関連付けられた固定端末に着信可能な場合には、当該関連付けられた固定端末の識別番号を前記識別番号記憶部から読み出し、この読み出した識別番号に基づいて着信先を変更するステップと、
このステップで着信先に変更した固定端末に前記インターネット網を介して前記発呼信号を送出するステップと
を実行することを特徴とする着信先変更方法。
【請求項５】
固定端末からインターネット網および移動体網を順次介して通信可能な携帯端末に向けて発信される発呼信号の着信先を当該着信先の現在の状態に応じて変更するため、
前記インターネット網に接続され、携帯端末に固有の識別番号および当該携帯端末に関連のある固定端末に固有の識別番号を関連付けて記憶する識別番号記憶部を有するコンピュータに、
発呼信号を受信して、当該発呼信号の着信先の現在の状態を表すプレゼンス情報を読み取るステップと、
このステップで読み取ったプレゼンス情報を参照した結果、前記発呼信号の着信先である携帯端末と予め関連付けられた固定端末に着信可能な場合には、当該関連付けられた固定端末の識別番号を前記識別番号記憶部から読み出し、この読み出した識別番号に基づいて着信先を変更するステップと、
このステップで着信先に変更した固定端末に前記インターネット網を介して前記発呼信号を送出するステップと
を実行させることを特徴とする着信先変更プログラム。
【請求項６】
固定端末からインターネット網および移動体網を順次介して通信可能な携帯端末に向けて発信される発呼信号の着信先を当該着信先の現在の状態に応じて変更するため、前記インターネット網に接続され、携帯端末に固有の識別番号および当該携帯端末に関連のある固定端末に固有の識別番号を関連付けて記憶する識別番号記憶部を有するコンピュータに、発呼信号を受信して、当該発呼信号の着信先の現在の状態を表すプレゼンス情報を読み取るステップと、このステップで読み取ったプレゼンス情報を参照した結果、前記発呼信号の着信先である携帯端末と予め関連付けられた固定端末に着信可能な場合には、当該関連付けられた固定端末の識別番号を前記識別番号記憶部から読み出し、この読み出した識別番号に基づいて着信先を変更するステップと、このステップで着信先に変更した固定端末に前記インターネット網を介して前記発呼信号を送出するステップとを実行させる着信先変更プログラム
を記録したことを特徴とするプログラム記録媒体。
【発明の詳細な説明】
【０００１】
【発明の属する技術分野】
本発明は、インターネット網と移動体網を介して通信を行う通信システム、呼制御装置、プレゼンス情報検出装置、着信先変更方法、着信先変更プログラム、およびプログラム記録媒体に関する。
【０００２】
【従来の技術】
従来、インターネット電話を利用して携帯電話などの携帯端末に発呼する場合、着信側の携帯端末の現在の状態を、この携帯端末に移動体網およびインターネット網を順次介して接続されるサーバ装置で開示する技術が知られている（例えば、特許文献１を参照）。
【０００３】
【特許文献１】
特開２００２−１５８６１０号公報
【０００４】
【発明が解決しようとする課題】
しかしながら、高層ビルなどのオフィスにおいては、携帯端末からの無線電波が基地局に届きにくいこともあるため、携帯端末を着信先として発呼しても繋がらないことがよくある。
【０００５】
したがって、携帯端末を用いて現在の状態を通知しようとしても通知できない場合があった。
【０００６】
本発明は上述した事情に鑑みてなされたものであり、その目的は、発信側で着信先の現在の状態を意識することなく、その着信先のプレゼンス情報に応じて発呼信号を送信すべき端末を選択することのできる通信システム、呼制御装置、プレゼンス情報検出装置、着信先変更方法、着信先変更プログラム、およびプログラム記録媒体を提供することにある。
【０００７】
【課題を解決するための手段】
上記目的を達成するために、請求項１記載の発明は、発呼信号の発信元である第１の固定端末と、この第１の固定端末にインターネット網および移動体網を順次介して通信可能な携帯端末と、この携帯端末と関連を有し、前記インターネット網を介して前記第１の固定端末に接続される第２の固定端末と、前記発呼信号の着信先の現在の状態を表すプレゼンス情報を検出するプレゼンス情報検出装置と、携帯端末および当該携帯端末と関連を有する第２の固定端末を対応付けて記憶しておき、前記プレゼンス情報検出装置から前記インターネット網を介して送信されてくるプレゼンス情報を受信したとき、この受信したプレゼンス情報に基づいて、前記インターネット網を介して携帯端末に向けて発信されてくる発呼信号の着信先端末を決定し、この決定により前記携帯端末と関連を有する第２の固定端末を着信先端末とする場合には、当該第２の固定端末に固有の識別番号を用いて着信先を変更して前記発呼信号を送信する呼制御装置とを備えたことを要旨とする。
【０００８】
請求項２記載の発明は、発信元の固定端末から当該固定端末にインターネット網と移動体網を順次介して通信可能な携帯端末に向けて発信される発呼信号の着信先端末を当該着信先の現在の状態に応じて制御する呼制御装置であって、着信先となる利用者が所有する固定端末および携帯端末にそれぞれ付与される識別番号を互いに対応づけて記憶、管理する識別番号記憶手段と、着信先の現在の状態を表すプレゼンス情報を検出するプレゼンス情報検出装置から前記インターネット網を介して送信されてくるプレゼンス情報を記憶、管理するプレゼンス情報記憶手段と、発呼信号の着信先端末を前記プレゼンス情報記憶手段で記憶した前記発呼信号の着信先のプレゼンス情報に基づいて決定し、着信先端末として固定端末を選択した場合には、当該固定端末の識別番号を前記識別番号記憶手段から読み出し、この読み出した識別番号を有する固定端末に向けて前記発呼信号を送信する制御手段とを備えたことを要旨とする。
【０００９】
請求項３記載の発明は、発信元の固定端末から当該固定端末にインターネット網と移動体網を順次介して接続される携帯端末に向けて発信される発呼信号着信先の現在の状態を表すプレゼンス情報を検知する検知手段と、この検知手段に対してプレゼンス情報の検知要求を行う一方で、前記検知手段が検知するプレゼンス情報を受信し、この受信したプレゼンス情報を前記インターネット網を介して発呼信号の制御を行う呼制御装置に送信する制御手段とを備えたことを要旨とする。
【００１０】
請求項４記載の発明は、固定端末からインターネット網および移動体網を順次介して通信可能な携帯端末に向けて発信される発呼信号の着信先を当該着信先の現在の状態に応じて変更する着信先変更方法であって、前記インターネット網に接続され、携帯端末に固有の識別番号および当該携帯端末に関連のある固定端末に固有の識別番号を関連付けて記憶する識別番号記憶部を有するコンピュータが、発呼信号を受信して、当該発呼信号の着信先の現在の状態を表すプレゼンス情報を読み取るステップと、このステップで読み取ったプレゼンス情報を参照した結果、前記発呼信号の着信先である携帯端末と予め関連付けられた固定端末に着信可能な場合には、当該関連付けられた固定端末の識別番号を前記識別番号記憶部から読み出し、この読み出した識別番号に基づいて着信先を変更するステップと、このステップで着信先に変更した固定端末に前記インターネット網を介して前記発呼信号を送出するステップとを実行することを要旨とする。
【００１１】
本発明における「コンピュータ」とは、一連の処理をすべて実行する単一の電子的な装置を意味する場合もあれば、各ステップの実行を適宜分割して二つ以上の電子的な装置から構築されるシステム全体を指す場合もある。
【００１２】
請求項５記載の発明は、固定端末からインターネット網および移動体網を順次介して通信可能な携帯端末に向けて発信される発呼信号の着信先を当該着信先の現在の状態に応じて変更するため、前記インターネット網に接続され、携帯端末に固有の識別番号および当該携帯端末に関連のある固定端末に固有の識別番号を関連付けて記憶する識別番号記憶部を有するコンピュータに、発呼信号を受信して、当該発呼信号の着信先の現在の状態を表すプレゼンス情報を読み取るステップと、このステップで読み取ったプレゼンス情報を参照した結果、前記発呼信号の着信先である携帯端末と予め関連付けられた固定端末に着信可能な場合には、当該関連付けられた固定端末の識別番号を前記識別番号記憶部から読み出し、この読み出した識別番号に基づいて着信先を変更するステップと、このステップで着信先に変更した固定端末に前記インターネット網を介して前記発呼信号を送出するステップとを実行させることを要旨とする。
【００１３】
請求項６記載の発明は、固定端末からインターネット網および移動体網を順次介して通信可能な携帯端末に向けて発信される発呼信号の着信先を当該着信先の現在の状態に応じて変更するため、前記インターネット網に接続され、携帯端末に固有の識別番号および当該携帯端末に関連のある固定端末に固有の識別番号を関連付けて記憶する識別番号記憶部を有するコンピュータに、発呼信号を受信して、当該発呼信号の着信先の現在の状態を表すプレゼンス情報を読み取るステップと、このステップで読み取ったプレゼンス情報を参照した結果、前記発呼信号の着信先である携帯端末と予め関連付けられた固定端末に着信可能な場合には、当該関連付けられた固定端末の識別番号を前記識別番号記憶部から読み出し、この読み出した識別番号に基づいて着信先を変更するステップと、このステップで着信先に変更した固定端末に前記インターネット網を介して前記発呼信号を送出するステップとを実行させる着信先変更プログラムを記録したことを要旨とする。
【００１４】
ここで、プログラム記録媒体とは、フレキシブルディスク、ハードディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、光磁気ディスク、ＰＣカード等のコンピュータ読み取り可能な記録媒体を意味する。
【００１５】
【発明の実施の形態】
以下、添付図面を参照して本発明の実施の形態を説明する。
【００１６】
図１は、本発明の一実施形態に係る通信システムの概略構成を示すブロック図である。同図に示す通信システム１００は、発信側の利用者が使用する固定端末１（第１の固定端末）、着信側の現在の状態を表すプレゼンス情報に基づいて着信側の電話番号である着信番号を決定する呼制御装置２、着信側の固定端末３（第２の固定端末）、および着信側のプレゼンス情報を検知して呼制御装置２に送信するプレゼンス情報検出装置４が、ＩＰ（Ｉｎｔｅｒｎｅｔ  Ｐｒｏｔｏｃｏｌ）によるパケット交換可能な通信ネットワークであるインターネット網１０１を介して互いに接続されている。
【００１７】
インターネット網１０１には、プロトコルを変換するゲートウェイ１０２を介して移動体通信用のプロトコルによる通信が可能な移動体網１０３が接続されており、この移動体網１０３に接続される基地局１０４は、無線電波の送受信によって携帯端末５との通信を行う。なお、図１では簡単のために一つの基地局１０４のみを記載しているが、携帯端末５が通信を行う際には、その携帯端末５の移動に伴って常に最寄りの基地局１０４との間で通信を行うことはいうまでもない。
【００１８】
固定端末１および３は、少なくとも音声データ、好ましくはさらに画像データを入出力可能な機器であり、パソコン上で動作するソフトウェアによって実現されている端末、あるいはインターネット網１０１に直接接続が可能であり、電話機の形状を有する専用端末等が想定される。なお、本実施形態においては、インターネット電話（ＶｏＩＰ：Ｖｏｉｃｅ  ｏｖｅｒ  ＩＰ  と呼ばれることもある）として、固定端末間の通信がインターネット網１０１またはイントラネット網のみを介して行われる場合、すなわち固定電話網を介さない場合のみを想定するものとする。これは本発明の全ての実施形態に対して共通する。
【００１９】
携帯端末５としては、携帯電話やＰＨＳ（Ｐｅｒｓｏｎａｌ  Ｈａｎｄｙｐｈｏｎｅ  Ｓｙｓｔｅｍ：登録商標）が想定される。また、ＰＤＡ（Ｐｅｒｓｏｎａｌ  Ｄｉｇｉｔａｌ  Ａｓｓｉｓｔａｎｔｓ）等の端末でもよい。
【００２０】
呼制御装置２は、予め定められたＳＩＰ（Ｓｅｓｓｉｏｎ  Ｉｎｉｔｉａｔｉｏｎ  Ｐｒｏｔｏｃｏｌ）やＨ．３２３等の呼制御プロトコルにしたがって発呼信号が指定した着信先への接続を制御する装置（ＳＩＰではＳＩＰサーバ、Ｈ．３２３ではゲートキーパと呼ばれることもある）であり、固定端末１からの発呼信号を受信し、どの通信網を経由してその発呼信号を送信するかを、端末固有の識別番号である着信先の電話番号（着信番号）を用いて制御する着信番号制御部２１、プレゼンス情報検出装置４からインターネット網１０１を介して送信されてくるプレゼンス情報に関する制御を行うプレゼンス情報制御部２２を有する。これらの着信番号制御部２１とプレゼンス情報制御部２２が呼制御装置２の制御手段を構成していることはいうまでもない。
【００２１】
着信番号制御部２１は、識別番号記憶手段の一部をなす着信番号記憶部２３に格納されている電話番号対応表を読み出して発呼信号の送出先の切り替えを行う。図５は、同一の利用者が所有するような場合に互いに関連付けて登録された固定端末３と携帯端末５の間の着信番号の対応を示す着信番号対応テーブル７０の構成例を示す図である。同図に示す場合、例えば番号が「０９０−１１１１−２２２２」の携帯端末５と番号「０５０−１２３４−５６７８」の固定端末３が関連付けられている。
【００２２】
通常のオフィス等では、従業者が作業を行う机が固定されて決まっていることが多い。このような場合には、その机に具備される固定端末３と、その机の利用者が所有する携帯端末５の間には１対１の対応が成立している。前述した着信番号対応テーブル７０は、例えばここで述べた状況下での端末間の対応付けを登録したものとみなすことができる。そこで、以後の説明においては、ここで説明した状況下で登録がなされている場合を想定して説明を行うが、本発明が必ずしもそのような場合にのみ適用されるわけではないのは勿論である。
【００２３】
プレゼンス情報制御部２２は、受信したプレゼンス情報をプレゼンス情報記憶手段の一部をなすプレゼンス情報記憶部２４に記憶、管理する一方で、プレゼンス情報記憶部２４に格納されているプレゼンス情報を読み出し、そのプレゼンス情報を着信番号制御部２１へ送出する。図６は、プレゼンス情報記憶部２４で記憶、管理されるプレゼンス情報管理テーブル８０の構成例を示している。例えば、固定端末３の番号「０５０−１２３４−５６７８」の場合、現在その固定端末３が置かれている机の前に人が座っている（在席している）ので、固定端末３に発呼信号を送信しても着信可能であるというプレゼンス情報が記憶されている。いうまでもないが、ここで説明したプレゼンス情報は、あくまでも一例を示しているに過ぎない。
【００２４】
以上の構成を有する呼制御装置２は、演算機能および制御機能を備えた中央処理装置（ＣＰＵ：Ｃｅｎｔｒａｌ  Ｐｒｏｃｅｓｓｉｎｇ  Ｕｎｉｔ）、プログラムやデータを格納する機能を備えた主記憶装置を備えた電子的な装置であるコンピュータによって構成されている。
【００２５】
以後説明する本実施形態の各種処理は、一つの電子的な装置が実行する場合だけでなく、各ステップの実行を適宜分割して二つ以上の電子的な装置から構築されたシステムが全体で実行する場合も含む。この意味で、本実施形態においては、一つまたは複数の電子的な装置から成る装置をまとめて「コンピュータ」と呼ぶことにする。このため、本実施形態は、後述する各種処理を行うためのプログラムの指示にしたがって、例えばコンピュータ上で稼動するＯＳ（Ｏｐｅｒａｔｉｎｇ  Ｓｙｓｔｅｍ）が実際の処理を行う場合等も当然含まれる。この点は、本発明の全ての実施の形態に共通する事項である。
【００２６】
次に、プレゼンス情報検出装置４の詳細な構成について、引き続き図１を用いて説明する。プレゼンス情報検出装置４は、固定端末３と独立にインターネット網１０１に接続されており、上述した意味でコンピュータである。より具体的には、プレゼンス情報を検知する検知手段である検知部４２と、この検知部４２によるプレゼンス情報の検知、およびインターネット網１０１を介したさまざまな情報の送受信を制御する制御手段である制御部４１とを備える。
【００２７】
検知部４２は、例えば赤外線センサを用いて構成される。この場合、赤外線センサは固定端末３に直接装着するか、あるいは固定端末３の近傍の適当な場所に取り付けておき、いずれにせよ固定端末３の利用者の着席状況を赤外線によって検知する。したがって、赤外線センサをさらにコンピュータに電気的に接続し、その赤外線センサで検知したセンサ信号を所定の呼制御プロトコルにのせてインターネット網１０１経由で呼制御装置２に送信する。
【００２８】
なお、図１では、固定端末３および携帯端末５から検知部４２に向かう点線矢印が引かれている。この点線矢印は、前述した赤外線センサの場合、赤外線によって利用者の着席状況を検知することを意味する（実質的には固定端末３からの矢印の方が対応）が、これはあくまでも一例に過ぎない。本実施形態においては、赤外線センサ以外にも、例えば固定端末３または携帯端末５と電気的に接続可能な検知部４２を用いてプレゼンス情報を検知することも想定されるが、その場合、図１の点線矢印（のいずれか）は電気的な信号の送信を意味する。このように、図１の点線矢印は、検知部４２におけるプレゼンス情報の検知という状況を総合的かつ模式的に示したものであり、検知部４２の具体的な構成に応じてその点線矢印の実質的な意味は変化する。
【００２９】
以上の構成を有する通信システム１００が行う通信処理、特に着信先変更処理の詳細について説明する。
【００３０】
この説明に際して、呼制御装置２の着信番号記憶部２３には、予め着信先となる利用者の携帯端末５の番号と固定端末３の番号との対応が登録されているものとする（図５の着信番号対応テーブル７０を参照）。
【００３１】
また、プレゼンス情報記憶部２４には、着信番号登録部２３に登録されている端末のプレゼンス情報がプレゼンス情報検出装置４から定期的に送信され、更新されているとものする。
【００３２】
図３は、プレゼンス情報検出装置４が定期的に実行するプレゼンス情報検出処理について、制御部４１の処理を中心に記載した処理フロー図である。同図に示す場合、プレゼンス情報検出装置４は、所定時間ごと（その周期をｔ０とする）にプレゼンス情報の検知を行う。
【００３３】
制御部４１は、まず計測時間（ｔとする）をゼロにセット（初期化）して、その初期化時刻からの経過時間の計測を開始する（ステップＳ４１１）。この意味で、制御部４１には、その内部にタイマ等の時間計測手段が具備されていることはいうまでもない。
【００３４】
計測時間ｔが周期ｔ０に達するまで計測を続け（ステップＳ４１２のＮＯ）、周期ｔ０に達したとき（ステップＳ４１２のＹＥＳ）、検知部４２に対して発呼信号の着信先端末の所有者（着信相手）に関するプレゼンス情報の検知を要求する（ステップＳ４１３）。ここでいう着信相手とは、着信番号登録部２３に端末番号が記憶、管理されている全ての着信相手のことを意味している。
【００３５】
検知部４２からの検知結果を受信した制御部４１は（ステップＳ４１４）、検知結果であるプレゼンス情報を所定の呼制御プロトコルに載せて呼制御装置２へ送信する（ステップＳ４１５）。
【００３６】
この処理が終了した後は、再びタイマの計測時間をゼロに初期化して経過時間の計測を開始するステップＳ４１１に戻り、上述した各ステップの処理を繰り返して実行する。
【００３７】
以上説明したプレゼンス情報検出方法によれば、呼制御装置２で、着信相手のプレゼンス情報を自動的かつリアルタイムに取得することが可能となる。
【００３８】
図２は、本実施形態に係る通信システム１００が行う通信処理、特に着信先変更処理の概要を示す処理フロー図である。以後の処理を行うにあたっては、上述した着信番号の登録およびプレゼンス情報の収集が既に実行され、それらが着信番号記憶部２３またはプレゼンス情報記憶部２４に適宜記憶、管理されていることを前提とする。さらに、発呼信号の着信相手が既に登録されていることを仮定して説明する。
【００３９】
発信側の利用者が、固定端末１を用いて着信側の携帯端末５の電話番号に向けて発呼を行う（ステップＳ１）。本実施形態においては、このステップにおける発呼は、常に着信側の携帯端末５の番号（例えば、携帯電話の電話番号「０９０−○○○○−○○○○」；ここで○にはそれぞれ独立に一桁のゼロまたは正の整数が入る）に対して行うものとする。
【００４０】
インターネット網１０１を介して発呼信号を受信した呼制御装置２では、着信番号制御部２１がその発呼信号に含まれる着信端末番号に対応する着信相手のプレゼンス情報をプレゼンス情報制御部２２に要求する（ステップＳ２）。この要求を受けたプレゼンス情報制御部２２がプレゼンス情報記憶部２４に格納されている該当プレゼンス情報を読み出し、この読み出したプレゼンス情報を着信番号制御部２１に通知する処理が行われる（ステップＳ３）。図６に示す場合には、着信先の固定端末３の番号とその固定端末３の所有者のプレゼンス情報が対応付けられている。このプレゼンス情報管理テーブル８０は、電話番号「０５０−１２３４−５６７８」の固定端末３を所有する着信相手は、現在その固定端末３の近くにいる一方で、電話番号「０５０−９９９９−３２１０」の固定端末３を所有する着信相手は、現在固定端末３を取ることができない場所にいることを意味している。
【００４１】
着信番号制御部２１は、取得したプレゼンス情報に基づいて発呼信号の着信先端末を決定する。
【００４２】
固定端末３に対しての着信が可能な場合には（ステップＳ４でＹＥＳ）、着信番号制御部２１は着信番号記憶部２３を読み出し、携帯端末５に対応する固定端末３の電話番号に変換し（ステップＳ５）、この変換した電話番号に基づいて、インターネット網１０１経由で固定端末３に着信させる（ステップＳ６）。例えば、図５および図６に示す場合、番号「０９０−１１１１−２２２２」の携帯端末５に発呼信号が合った場合には、対応する固定端末３の番号「０５０−１２３４−５６７８」に変換され、この番号に発呼信号が送出される。
【００４３】
他方、取得したプレゼンス情報により固定端末３に対する着信が不可能であれば（ステップＳ４でＮＯ）、ステップＳ１で発信された発呼信号を、そのまま移動体網を経由して携帯端末５に着信させる（ステップＳ７）。これは、図６で固定端末番号が「０５０―９９９９−３２１０」である場合に相当する。すなわち、この番号に対応する携帯端末５（番号「０９０−３３５５−６７８９」）に対する発呼が行われた場合に相当する。
【００４４】
以上説明した本発明の一実施形態によれば、発信側からは常に着信先として携帯端末の番号に発呼すればよく、携帯端末およびその携帯端末と関連を有する固定端末のどちらに着信するかは着信側の現在の状態（プレゼンス）に応じて自動的に呼制御装置によって決定されるので、発信者は着信相手のプレゼンスを意識せず、高層ビル内などでも通話障害の少ない固定端末にインターネット網を介して着信させることが可能となる。
【００４５】
さらに、本実施形態によれば、インターネット網から移動体網にゲートウェイを介して網間接続する発呼信号を、移動体網を経由することなくインターネット網のみを用いて着信させることが可能になるため、インターネット網固有のさらに高度な付加サービスを利用者は享受することが可能になり、利便性の向上という効果を得ることもできる。
【００４６】
加えて、本実施形態によれば、例えば固定端末の近くに着信者がいるときには固定端末に着信することになるので、発信者から見た場合、通話料金を削減するという経済的な効果も期待できる。
【００４７】
なお、以上説明した各装置が有する機能を実現するためのプログラムを記録したコンピュータ読み取り可能な記録媒体を各装置に装着し、その記録媒体に格納されているプログラムを読み出すことによって、各装置が上述した処理をそれぞれ実行するようにしてもよい。ここで、「コンピュータ読み取り可能な記録媒体」としては、フレキシブルディスク、ハードディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＤＶＤ（Ｄｉｇｉｔａｌ  Ｖｅｒｓａｔｉｌｅ  Ｄｉｓｋ）、光磁気ディスク、ＰＣカード等を用いることができる。
【００４８】
ところで、本発明は、以上説明した一実施形態においてのみ特有の効果を奏するものと理解されるべきではない。
【００４９】
（１）図４は、本発明の別な実施形態として、発呼が行われた時点でプレゼンス情報を取得する場合の呼制御装置２とプレゼンス情報検出装置４の処理を示す処理フロー図である。同図では、図２に示す処理フロー図と異なる処理が行われる部分を記載している。
【００５０】
図２と同様に、固定端末１から送信される発呼信号（ステップＳ１）を呼制御装置２が受信すると、着信番号制御部２１が携帯端末５の所有者のプレゼンス情報を要求する（ステップＳ１１）。この要求信号は、プレゼンス情報制御部２２を経由してインターネット網１０１に送出される。
【００５１】
発呼信号は、着信先の携帯端末５の番号に向けて送信されてくるので、この場合、着信番号記憶部２３では、携帯端末５と固定端末３の対応に加えて、それらの端末に係る着信相手のプレゼンス情報を検出するプレゼンス情報検出装置４との対応も蓄積、管理されていなければならない（図示せず）。そしてこの対応に基づいて、携帯端末５の番号をプレゼンス情報検出装置４が有するＩＰアドレスに変換することにより、プレゼンス情報要求信号を送信する。
【００５２】
呼制御装置１からの要求信号を受信したプレゼンス情報検出装置４では、制御部４１が検知部４２に対して該当するプレゼンス情報の検知を要求する（ステップＳ１２）。
【００５３】
検知部４２は、制御部４１からの検知要求に応じてプレゼンス情報を検知し、その検知結果を制御部４１に通知する（ステップＳ１３）。
【００５４】
制御部４１は、検知結果を所定の呼制御プロトコルに載せて呼制御装置２へ送信する（ステップＳ１４）。
【００５５】
呼制御装置２のプレゼンス情報制御部２２では、受信したプレゼンス情報をプレゼンス情報記憶部２４に記憶するとともに、着信番号制御部２１にプレゼンス情報を送信する（ステップＳ１５）。プレゼンス情報記憶部２４に記憶される内容は、上記一実施形態と同様である（図６のプレゼンス情報管理テーブル８０を参照）。
【００５６】
この後の処理については、図２のステップＳ４以降の処理と同じである。
【００５７】
以上のように、発呼信号の受信に応じてプレゼンス情報の検知を実行しても、得られる効果は上記一実施形態と同様である。加えてこの場合には、必要なときだけ着信先のプレゼンス情報の検知を行うため、通信システム１００への負荷を一層軽減することが可能となる。
【００５８】
（２）本発明におけるプレゼンス情報検出装置４の検知部４２を、携帯端末５の充電器を用いて構成することもできる。この場合、携帯端末５が充電器に装着されたときに生じる電気信号をインターネット網１０１経由で送信する。
【００５９】
そのような充電器に対して、電気信号に呼制御プロトコルをのせて直接送信する制御部４１の機能をさらに具備させることにより、直接インターネット網１０１に接続する構成にしてもよい。他方、制御部４１の機能を担う別のパソコン等に充電器を接続することにより、インターネット網１０１にプレゼンス情報を送出する構成にしてもよい。このように、携帯端末５の充電器を検知部４２として用いる場合には、充電器自身が検知部４２の機能のみを有する場合と、この検知部４２の機能に加えて実際に送信する制御部４１の機能を兼備する場合があるが、いずれの場合にも赤外線センサを用いた上記一実施形態と同様の効果を得ることができる。
【００６０】
なお、検知部４２として携帯端末５の充電器を用いる上では、携帯端末５の番号とプレゼンス情報とを対応付けて管理する方がより好ましいのは勿論である。したがって、この場合のプレゼンス情報管理テーブルは、携帯端末番号とプレゼンス情報の対応が記録される。
【００６１】
これら二つの例を取り上げるまでもなく、本発明は、上述した一実施形態と同様の効果を得ることのできる様々な実施の形態等を含み得るものである。
【００６２】
【発明の効果】
以上の説明からも明らかなように、本発明によれば、発信側で着信先の現在の状態を意識することなく、その着信先のプレゼンス情報に応じて発呼信号を送信すべき端末を選択することのできる通信システム、呼制御装置、プレゼンス情報検出装置、着信先変更方法、着信先変更プログラム、およびプログラム記録媒体を提供することができる。
【図面の簡単な説明】
【図１】本発明の一実施形態に係る通信システムの構成を示すブロック図である。
【図２】本発明の一実施形態に係る着信先変更処理の概要を示す処理フロー図である。
【図３】本発明の一実施形態に係るプレゼンス情報検出処理の概要を示すフローチャート図である。
【図４】本発明の別の実施形態に係るプレゼンス情報検出処理の概要を示す処理フロー図である。
【図５】着信番号対応テーブルの一構成例を示す図である。
【図６】プレゼンス情報管理テーブルの一構成例を示す図である。
【符号の説明】
１、３  固定端末
２  呼制御装置
４  プレゼンス情報検出装置
５  携帯端末
２１  着信番号制御部
２２  プレゼンス情報制御部
２３  着信番号記憶部
２４  プレゼンス情報記憶部
４１  制御部
４２  検知部
７０  着信番号対応テーブル
８０  プレゼンス情報管理テーブル
１００  通信システム
１０１  インターネット網
１０２  ゲートウェイ
１０３  移動体網
１０４  基地局
【図１】
2004312559.tif 000003
【図２】
2004312559.tif 000004
【図３】
2004312559.tif 000005
【図４】
2004312559.tif 000006
【図５】
2004312559.tif 000007
【図６】
2004312559.tif 000008